(57)【特許請求の範囲】
【請求項１】
本体に対して出没自在に接触子が設けられたスイッチと、このスイッチの接触子の出没方向と交差する方向に往復動可能とされ前記接触子を没入させるカム面及び前記接触子の突出を許容する非カム面が形成されたカム部材とを備え、前記接触子が前記カム面と当接される位置にある時に前記スイッチがオン及びオフのいずれか一方とされ前記非カム面に対応する位置にある時に前記スイッチがオン及びオフのいずれか他方とされたスイッチ機構であって、
前記カム面の前記非カム面近傍には、前記カム部材の往復動の切り換えに伴って前記接触子の向きを切り換える切換手段が設けられたことを特徴とするスイッチ機構。
【請求項２】
請求項１に記載されたスイッチ機構において、
前記切換手段はリブであることを特徴とするスイッチ機構。
【請求項３】
請求項２に記載されたスイッチ機構において、
前記リブは前記カム部材と一体成形されていることを特徴とするスイッチ機構。
【請求項４】
請求項２又は請求項３に記載されたスイッチ機構において、
前記リブは矩形状に形成されていることを特徴とするスイッチ機構。
【請求項５】
請求項１から請求項４のいずれかに記載されたスイッチ機構を有することを特徴とするディスク装置。
【発明の詳細な説明】
【技術分野】
【０００１】
本発明は、スイッチの接触子の出没方向と交差する方向にカム部材が往復動可能とされたスイッチ機構、及びこのスイッチ機構を備えたディスク装置に関する。
【背景技術】
【０００２】
従来、この種のディスク装置は、光ディスクに記録された情報を読み取りあるいは光ディスクに情報を記録する情報処理部と、この情報処理部を所定位置に移動させる移動機構と、光ディスクを内部の所定位置に搬入しあるいは外部に搬出する搬送機構とを備えた構造のものが知られている。
これらの移動機構や搬送機構にはアームやカム部材等の連動機構が設けられており、これらの連動機構はモータ等の駆動源と連結されている。そして、カム部材には駆動源を制御するための種々のスイッチ機構が設けられている。【０００３】
このスイッチ機構の中には、図１Ａ〜Ｄ及び図２Ａ〜Ｄに示される通り、出没自在に接触子１０１が本体１０２に設けられたスイッチ１００と、このスイッチ１００の接触子１０１の出没方向と直交する方向に往復動可能とされるカム部材２００とを備えた構造のものがある。
このカム部材２００は、接触子１０１が当接されるとスイッチがオンの状態となるカム面２０１と、このカム面２０１の両端側に形成され接触子１０１が対応する位置にある時にスイッチがオフとなる非カム面２０２とを有し、カム部材２００が往復動されると、スイッチがオン・オフ制御される。ディスク装置においては複雑な制御が求められているので、カム部材２００では複雑な往復動が行なわれている。【０００４】
つまり、図１Ａに示される通り、スイッチ１００の接触子１０１がカム部材２００のカム面２０１から外れて非カム面２０２と対応する位置にあると、スイッチ１００がオフとされる。この状態で、カム部材２００が矢印Ｐ方向に前進すると、図１Ｂに示される通り、接触子１０１がカム面２０１と当接して本体１０２に没入し、スイッチ１００がオンされる。この際、接触子１０１は、カム部材２００との間で若干の摩擦があるので、その先端がカム部材２００の移動方向に引っ張られるように傾く。
さらに、図１Ｃに示される通り、カム部材２００が前進し続け、スイッチ１００はオンの状態を維持し、その後、図１Ｄに示される通り、スイッチ１００の接触子１０１がカム部材２００のカム面２０１から外れて非カム面２０２と対応する位置になり、スイッチ１００がオフとされる。【０００５】
さらに、図２Ａに示される通り、カム部材２００が矢印Ｐとは逆方向のQ方向に後退すると、接触子１０１がカム面１０１と再度当接して本体１０２に没入し、スイッチ１００がオンされる。この際、接触子１０１は、その先端が図１Ｂとは逆方向に傾く。その後、図２Ｂに示される通り、カム部材２００は所定位置まで後退したら停止する。再度、カム部材２００が前進した後、図２Ｃに示される通り、カム部材２００が後退し、その後、カム部材２００が前進すると、スイッチ１００の接触子１０１がカム部材２００のカム面２０１から再度外れて非カム面２０２と対応する位置になり、スイッチ１００がオフとされる。この際、接触子１０１は、その先端の傾きが図２Ａと同じであって、図１Ｂとは逆方向である。【０００６】
図２Ｄで示されるスイッチ機構は図１Ｄで示されるスイッチ機構と比べて、カム部材２００が前進して接触子１０１がカム面１０１から外れた位置にある状態では同じであるが、それぞれ直前における接触子１０１の傾きが逆となる。そのため、スイッチ機構では、スイッチ１００に発生するヒステリシスによって、スイッチの感度が異なる。
このヒステリシスに関する不都合を解消するため、従来では、接触子１０１の向きによる動作の差を予め把握しておき、それを動作時間で調整するというソフトウェアを設けている。
【発明の開示】
【発明が解決しようとする課題】
【０００７】
従来のスイッチ機構では、ヒステリシス発生による不都合を解消するため、ソフトウェアを設けているが、このソフトウェアを設けるにあたって、接触子１０１の向きによるスイッチ１００の動作の差を予め把握しておかなければならず、ソフトウェアを設計する上で手間がかかる。しかも、接触子１０１やカム部材２００では部品によるばらつきが発生するため、これらのばらつきを考慮してソフトウェアを設計しなければならない。さらに、ソフトウェアで作動時間を制御した場合でも、温度変化、部品精度によりカム部材２００にかかる負荷が変動し、想定した位置にカム部材２００が停止しないという不都合も生じる。
つまり、従来例では、ソフトウェアを用いているため、接触子のヒステリシスを解消するには構造が複雑となるという課題が一例として挙げられる。【０００８】
本発明は、上述したような実情などに鑑みて、接触子のヒステリシスを簡単な構造で解消できるスイッチ機構及びディスク装置を提供することを目的とする。
【課題を解決するための手段】
【０００９】
本発明のスイッチ機構は、本体に対して出没自在に接触子が設けられたスイッチと、このスイッチの接触子の出没方向と交差する方向に往復動可能とされ前記接触子を没入させるカム面及び前記接触子の突出を許容する非カム面が形成されたカム部材とを備え、前記接触子が前記カム面と当接される位置にある時に前記スイッチがオン及びオフのいずれか一方とされ前記非カム面に対応する位置にある時に前記スイッチがオン及びオフのいずれか他方とされたスイッチ機構であって、前記カム面の前記非カム面近傍には、前記カム部材の往復動の切り換えに伴って前記接触子の向きを切り換える切換手段が設けられたことを特徴とする。【００１０】
本発明のディスク装置は、前述した本発明のスイッチ機構を有することを特徴とする。
【図面の簡単な説明】
【００１１】
【図１Ａ】従来技術に係るスイッチ機構の動作を説明する平面図である。
【図１Ｂ】従来技術に係るスイッチ機構の動作を説明する平面図である。
【図１Ｃ】従来技術に係るスイッチ機構の動作を説明する平面図である。
【図１Ｄ】従来技術に係るスイッチ機構の動作を説明する平面図である。
【図２Ａ】従来技術に係るスイッチ機構の動作を説明する平面図である。
【図２Ｂ】従来技術に係るスイッチ機構の動作を説明する平面図である。
【図２Ｃ】従来技術に係るスイッチ機構の動作を説明する平面図である。
【図２Ｄ】従来技術に係るスイッチ機構の動作を説明する平面図である。
【図３】本発明の一実施形態に係るディスク装置の概略構成を示す一部を切り欠いた平面図である。
【図４】スイッチ機構を示す平面図である。
【図５】スイッチ機構の要部を示す平面図である。
【図６Ａ】スイッチ機構の動作を説明する図である。
【図６Ｂ】スイッチ機構の動作を説明する図である。
【図６Ｃ】スイッチ機構の動作を説明する図である。
【図６Ｄ】スイッチ機構の動作を説明する図である。
【図７Ａ】スイッチ機構の動作を説明する図である。
【図７Ｂ】スイッチ機構の動作を説明する図である。
【図７Ｃ】スイッチ機構の動作を説明する図である。
【図７Ｄ】スイッチ機構の動作を説明する図である。
【符号の説明】
【００１２】
４３…カム部材
４６…カム部
４７…カム面
４８…非カム面
４９…リブ（切換手段）
５０…スイッチ
５１…本体
５２…接触子
【発明を実施するための最良の形態】
【００１３】
以下、本発明の一実施形態を図面に基づいて説明する。
本実施形態では、ディスク状記録媒体として、情報の読み出しあるいは記録のみでもよい。さらに、ディスク状記録媒体としては、光ディスクに限らず、磁気ディスク、光磁気ディスクなどのいずれのディスク状記録媒体を対象とすることができる。また、例えば携帯型のパーソナルコンピュータなどの電気機器に装着されるいわゆる薄型のスロットインタイプで例示するが、例えばゲーム機や映像データの録画などの記録や再生のための処理をする再生装置などの単体の構成としてもよく、薄型の構成に限られない。【００１４】
（ディスク装置の構成）
図３において、本実施形態のディスク装置は、例えば携帯型のパーソナルコンピュータ等の電気機器に装着されるいわゆる薄型のスロットインタイプである。このディスク装置は、着脱可能に装着されるディスク状記録媒体としての円板状の光ディスクにおける少なくとも一面に設けられた図示しない記録面に記録された情報を読み出す情報処理である読取処理や記録面へ各種情報を記録する情報処理である記録処理をする。
ディスク装置は、例えば金属製で内部空間を有する略箱形状のケース体１０を備えて構成されている。
このケース体１０は、その開口された側面に図示しない化粧板を備えており、この化粧板は、その中心部分に長手方向に沿ってスリット状に設けられた開口部（図示せず）が形成されている。この開口部から光ディスクが出し入れ自在とされる。【００１５】
ケース体１０内には、いわゆるトラバースメカと称されるディスク処理部２０と、光ディスク１を搬送する搬送機構３０と、図示しない制御回路部とが設けられている。
ディスク処理部２０は、例えば金属板にて平面視で扁平八角形状に形成された略板状の台座部２１を有している。
この台座部２１にはディスク回転駆動手段２２が配設されている。このディスク回転駆動手段２２は、図示しないスピンドルモータと、このスピンドルモータの出力軸に一体的に設けられたターンテーブル２３とを備えている。スピンドルモータは、制御回路部に制御可能に接続され、制御回路部から供給される電力により駆動する。
ターンテーブル２３は、光ディスクの中心に開口形成された軸孔に嵌挿して軸支する略円柱状の回転軸２３Ａと、この回転軸２３Ａの外周面にフランジ状に突設され光ディスクの軸孔の周縁が載置されて支持する鍔部２３Ｂとを備えた軸支部である。そして、ターンテーブル２３は、スピンドルモータにより、軸支する光ディスクとともに回転する。【００１６】
台座部２１には情報処理部２４が配設されている。この情報処理部２４は、図示しない一対のガイドシャフト間に架橋する状態に支持されているとともに、図示しない移動機構で情報処理部２４をターンテーブル２３に対して近接離隔させる。
情報処理部２４は、図示しない光源と、この光源からの光を収束するレンズ２５Ａと、光ディスクで反射された出射光を検出する図示しない光センサとを有するピックアップ２５を備えている。
このピックアップ２５は、制御回路部に信号を送受信可能に接続され、制御回路部の制御により、光ディスク１の記録面に記録された各種情報を読み取って出力回路部へ出力する読取処理や、制御回路部からの各種情報を記録面に記録する記録処理を実施する。
台座部２１には、カバー体２１Ａが一体的に取り付けられている。このカバー体２１Ａには、ピックアップ２５の移動経路及びターンテーブル２３の位置に対応して台座部２１の長手方向に沿って長手状の処理開口部が略中央に切欠形成されている。【００１７】
台座部２１は、ディスク回転駆動手段２２が配設された一端側とは反対側の基端部を揺動支点とし、かつ、ディスク回転駆動手段２２側の一端部を揺動先端としてケース体１０の内部に揺動可能に配置されている。
台座部２１を揺動する駆動部４０がケース体１０の内部に設けられている。この駆動部４０は、例えば制御回路部に動作制御される図示しない駆動源であるモータ４１と、このモータ４１の駆動力が歯車機構４２を介して伝達されるカム部材４３とを備えている。
カム部材４３は、台座部２１に外方に向けて突設された係合爪２１Ｂに係合するとともにモータ４１の駆動により移動されて台座部２１を揺動させる。
台座部２１にはもう一つの係合爪２１Ｂが外方に向けて突設され、この係合爪２１Ｂは移動カム４４を介して図示しないモータの駆動により移動されて台座部２１を揺動させる。【００１８】
搬送機構３０は、モータ４１の駆動により連動するリンク機構部３１を備えている。
リンク機構部３１は、図示しないイジェクトアーム及びホールドアームと、ローディングアーム３２とを備え、これらのアームは、例えば金属板などにて細長板状に形成され、それぞれ長手方向の一端部がケース体１０に回動可能に軸支されている。
ローディングアーム３２は、一端側がケース体１０の開口部近傍で内方へ回動可能に配設された第１リンク３３と、この第１リンク３３と一端部が連結され他端部がカム部材４３に連結される第２リンク３４とを備えている。
ケース体１０の内部には、スイッチ５０が複数配設されている。これらのスイッチ５０は、カム部材４３と連動してオン・オフ信号が出力され、このオン・オフ信号は、図示しない制御回路部へ出力される。【００１９】
制御回路部は、例えば各種電気部品が搭載された回路基板に回路構成として構成され、ディスク装置全体の動作を制御する。また、制御回路部は、搬送機構３０のスイッチ５０のオン・オフ信号に基づいて光ディスクの挿入を検知、すなわち検知スイッチがオフとなったことを認識すると、光ディスクが挿入されたと判断し、駆動部を動作させてディスク処理部２０を揺動させる制御をする。また、制御回路部は、光ディスクの排出を要求する例えばイジェクトボタンの操作を認識、あるいは電気機器からの光ディスクを排出させる指令信号などを認識すると、モータを駆動させて情報処理部２４を台座部２１の回動基端側の端部位置へ移動させる制御をする。さらには、制御回路部は、情報処理部２４の端部位置への移動が完了したことを認識すると、駆動部を動作させてディスク処理部２０を回動させる制御をする。そして、制御回路部は、搬送機構３０の搬送モータを駆動させてリンク機構部３１を移動させ、光ディスクを開口部から排出させる制御をする。【００２０】
図４及び図５において、スイッチ５０は、本体５１と、この本体５１に対して出没自在に設けられた接触子５２とを備えている。
接触子５２の出没方向はカム部材４３の進退方向と直交する。接触子５２は、平面略三角形であってカム部材４３の往復動に伴って傾く先端部を有する。【００２１】
カム部材４３は、一端側に配置されたラック部４５と、他端側に配置されたカム部４６とが一体に形成された合成樹脂製略長尺部材であり、その長手方向に沿って進退動可能とされる。カム部材４３の中央部には第２リンク３４を回動自在に支持するための支持孔４３Ａが形成されている。
ラック部４５は歯車機構４２と噛合されるものであり、モータ４１の回転駆動で進退される。
カム部４６は、カム部材４３の進退方向に沿って平坦なカム面４７が形成されている。このカム面４７は接触子５２を本体５１に対して没入させるものであり、この没入状態では、スイッチ５０がオンとされる。【００２２】
カム面４７のカム部材４３の前進方向両側には非カム面４８がそれぞれ形成されている。この非カム面４８は、接触子５２の本体５１からの突出を許容するものであり、接触子５２が本体５１から突出している状態では、スイッチ５０がオフとされる。
カム面４７の一端部、つまり、２カ所のうち１カ所の非カム面４８に近接する箇所には矩形状のリブ４９が一体に設けられている。
このリブ４９は、カム部材４３の往復動の切り換えに伴って接触子５２の向きを切り換える切換手段として機能するものであり、リブ４９の立ち上がり面（カム面４７と直交する面）に接触子５２の先端部が当接することで、接触子５２の先端部の向きが変更される。リブ４９はカム部材４６と一体に成形されている。リブ４９は、その一端部が非カム面４８とカム面４７との境界部分から所定寸法離れて形成されている。【００２３】
（スイッチ機構の動作）
次に、本実施形態におけるスイッチ機構の動作を図６及び図７に基づいて説明する。
図６Ａに示される通り、スイッチ５０の接触子５２がカム部材４３のカム面４７から外れて非カム面４８と対応する位置にあると、スイッチ５０がオフとされる。この状態で、カム部材４３が矢印Ｐ方向に前進すると、図６Ｂに示される通り、接触子５２がカム面４７と当接して本体５１に没入し、スイッチ５０がオンされる。この際、接触子５２は、カム部材４３の先端がカム部材４３の前進に伴って引っ張られるように傾く。
さらに、図６Ｃに示される通り、カム部材４３が前進し続け、スイッチ５０はオンの状態を維持し、その後、図６Ｄに示される通り、スイッチ５０の接触子５２がリブ４９を乗り越えてカム部材４３のカム面４７から外れて非カム面４８と対応する位置になると、接触子５２が本体５１から突出してスイッチ５０がオフとされる。【００２４】
さらに、図７Ａに示される通り、カム部材４３が矢印Ｐとは逆方向のQ方向に後退すると、接触子５２がカム面４７と再度当接して本体５１に没入し、スイッチ５０がオンされる。この際、接触子５２は、その先端が図６Ｂとは逆方向に傾く。その後、図７Ｂに示される通り、カム部材４３は所定位置まで後退したら停止する。図７Ｃに示される通り、再度、カム部材４３がＰ方向に前進すると、接触子５２の先端部がリブ４９の立ち上がり面に当接し、引き続きカム部材４３が前進すると、接触子５２は、その先端が停止しようとする一方で基端側が本体５１とともに前進するために、接触子５２の傾きが図７Ｂの状態とは切り替わる。
さらに、カム部材４３が前進し続けると、図７Ｄに示される通り、スイッチ５０の接触子５２がカム部材４３のカム面４７から再度外れて非カム面４８と対応する位置になり、接触子５２が突出してスイッチ５０がオフとされる。この際、接触子５２は、その先端の傾きが図６Ｄと変わらず、同じ向きであり、接触子５２にヒステリシスが発生することがない。【００２５】
（本実施形態における作用効果）
本実施形態では、次の作用効果を奏することができる。
（１）本実施形態のスイッチ機構は、本体５１に対して出没自在に接触子５２が設けられたスイッチ５０と、このスイッチ５０の接触子５２の出没方向と直交する方向に往復動可能とされ接触子５２を没入させるカム面４７及び接触子５２の突出を許容する非カム面４８が形成されたカム部材４３とを備え、接触子５２がカム面４７と当接される位置にある時にスイッチ５０がオンとされ非カム面４８に対応する位置にある時にスイッチ５０がオフとされている。そして、カム面４７の非カム面４８の近傍には、カム部材４３の往復動の切り換えに伴って接触子５２の向きを切り換える切換手段（リブ４９）が設けられている。そのため、異なる方向から移動するカム部材４３にスイッチ５０が接触しても、切換手段によって接触子５２の向きが同一となるため、スイッチ５０に接触子５２の向きの相違に伴ったヒステリシスの影響が生じることがない。しかも、ヒステリシスの影響をなくすため、ソフトウェアを用いる従来例とは異なり、切換手段をカム部材に設けるという手段を採用するため、スイッチ機構の構造が簡単となる。【００２６】
（２）切換手段はリブ４９であるから、リブ４９は簡単に成型することができるので、切換手段自体の構造を簡易なものにできる。【００２７】
（３）リブ４９はカム部材４３と一体成形されているから、射出成形等の適宜な成型手段でリブ４９が設けられたカム部材４３を簡単に成型することができる。【００２８】
（４）リブ４９は矩形状に形成されているから、カム面４７とリブ４９の立ち上がり面とを略直角にすることができるので、接触子５２をリブ４９に滑ることなく係止させて接触子５２の向きを確実に変えることができる。【００２９】
（５）本実施形態のディスク装置は前述のスイッチ機構を備えて構成されているから、スイッチ機構の構造が簡易となり、スイッチ５０にヒステリシスの影響がないので、搬送機構等が精度よく作動できる。【００３０】
〔実施形態の変形〕
なお、本発明は、上述した各実施の形態に限定されるものではなく、本発明の目的を達成できる範囲で以下に示される変形をも含むものである。【００３１】
例えば、前記実施形態では、切換手段をリブ４９で形成したが、本発明では、この構成に限定されるものではない。
例えば、リブに代えてカム面４７の所定位置に摩擦抵抗が大きなテープを貼付するものでもよく、あるいは、カム面４７に凹部を形成するものでもよい。凹部を形成する場合にあっては、その深さ寸法が大きすぎると、凹部に接触子５２が入り込んだ際にスイッチ５０がオンからオフに切り替わってしまうので、スイッチ５０のオン・オフが切り替わらない程度の深さ寸法とする必要がある。【００３２】
仮に、切換手段をリブ４９で形成した場合でも、前述の実施形態の構成に限定されるものではない。例えば、リブ４９をカム部材４３と別体に成型し、両者を接着剤等で貼付する構成のものでもよく、リブ４９の形状を矩形状とするのではなく、台形や三角形状とするものでもよい。
また、接触子５２の出没方向とカム部材４３の進退方向とは必ずしも直交していることを要せず、カム部材４３の進退に伴って接触子５２が出没されるものであれば、両者の線分が厳密に直角である必要がない。【００３３】
さらに、スイッチ５０は接触子５２が本体５１から没入状態でオンとしたが、その逆、つまり、没入状態でオフとするものでもよい。
さらに、ディスク状記録媒体を利用するディスク装置について例示したが、上述したように、光ディスクに限らず、磁気ディスク、光磁気ディスクなどのいずれのディスク状記録媒体を対象とすることができる。
また、読取処理あるいは記録処理の一方のみを処理する構成のものにも適用できる。【００３４】
さらに、本発明では、スイッチ機構をディスク装置以外の電子機器、例えば、オーディオ装置に適用してもよい。
その他、本発明の実施の際の具体的な構造および手順は、本発明の目的を達成できる範囲で他の構造などに適宜変更できる。【００３５】
〔実施の形態の効果〕
上述したように、スイッチ機構は、本体５１に対して出没自在に接触子５２が設けられたスイッチ５０と、このスイッチ５０の接触子５２の出没方向と交差する方向に往復動可能とされ接触子５２を没入させるカム面４７及び接触子５２の突出を許容する非カム面４８が形成されたカム部材４３とを備え、接触子５２がカム面４７と当接される位置にある時にスイッチ５０がオン及びオフのいずれか一方とされ、非カム面４８に対応する位置にある時にスイッチ５０がオン及びオフのいずれか他方とされたスイッチ機構であって、カム面４７の非カム面４８の近傍には、カム部材４３の往復動の切り換えに伴って接触子５２の向きを切り換える切換手段としてのリブ４９が設けられたから、異なる方向から移動するカム部材４３にスイッチ５０が接触しても、リブ４９によって接触子５２の向きが同一となるため、スイッチ５０に接触子５２の向きの相違に伴ったヒステリシスの影響が生じることがない。しかも、ヒステリシスの影響をなくすため、ソフトウェアを用いる従来例とは異なり、リブ４９をカム部材４３に設けるという手段を採用するため、スイッチ機構の構造が簡単となる。
【産業上の利用可能性】
【００３６】
本発明は、スイッチの接触子の出没方向と交差する方向にカム部材が往復動可能とされたスイッチ機構、及びこのスイッチ機構を備えたディスク装置として利用できる。
【図１Ａ】
0004417959.tif 000002
【図１Ｂ】
0004417959.tif 000003
【図１Ｃ】
0004417959.tif 000004
【図１Ｄ】
0004417959.tif 000005
【図２Ａ】
0004417959.tif 000006
【図２Ｂ】
0004417959.tif 000007
【図２Ｃ】
0004417959.tif 000008
【図２Ｄ】
0004417959.tif 000009
【図３】
0004417959.tif 000010
【図４】
0004417959.tif 000011
【図５】
0004417959.tif 000012
【図６Ａ】
0004417959.tif 000013
【図６Ｂ】
0004417959.tif 000014
【図６Ｃ】
0004417959.tif 000015
【図６Ｄ】
0004417959.tif 000016
【図７Ａ】
0004417959.tif 000017
【図７Ｂ】
0004417959.tif 000018
【図７Ｃ】
0004417959.tif 000019
【図７Ｄ】
0004417959.tif 000020